(57)【要約】【課題】１枚の包装材22のみでも、ルーバ11の側面や端面と包装材22との間に緩衝空間を形成することが可能となり、包装構造を簡素化できる包装装置21を提供する。【解決手段】１枚の包装材22の底面部23、側面部25、端面部27および天面部29でルーバ11の底面、側面、端面および上面を覆う。天面部29の切起片37をルーバ11側に折り曲げてルーバ11の上面と交差する面に当接させることにより、ルーバ11の側面や端面と包装材22との間に緩衝空間を形成し、ルーバ11の位置を位置決め保持する。【選択図】図１
2008162672.tif 000002
【特許請求の範囲】
【請求項１】
被包装物の底面を覆う底面部と；
底面部の両側から底面部に対して略直交するように折り曲げられて被包装物の両側面を覆う一対の側面部と；
底面部の両端から底面部に対して略直交するように折り曲げられて被包装物の両端面を覆う一対の端面部と；
各端面部から底面部に対して略平行となるように折り曲げられて被包装物の上面を覆う一対の天面部と；
各天面部から被包装物側に折り曲げられて被包装物の上面と交差する面に当接して被包装物を保持する切起片と；
を具備しており、これらを１枚の包装材で形成した
ことを特徴とする包装装置。
【請求項２】
切起片は、端面部から折り曲げられる天面部の折り曲げ側および先端部側にそれぞれ設けられている
ことを特徴とする請求項１記載の包装装置。
【発明の詳細な説明】
【技術分野】
【０００１】
本発明は、１枚の包装材で被包装物を包装する包装装置に関する。
【背景技術】
【０００２】
従来、例えば、照明器具に使用する照明器具用アクセサリとしてルーバやセードなどがあり、これらを個別に包装するための包装装置がある。
【０００３】
ルーバの包装装置では、ルーバの両端部に端部緩衝材を配置し、これらルーバおよび端部緩衝材の全体を包み込むように外装用包装材で覆って包装している。端部緩衝材は、ルーバと外装用包装材との間に介在し、ルーバと外装用包装材との間に緩衝空間を形成した状態で、外装用包装材内のルーバを保持している。ルーバと外装用包装材との間に形成した緩衝空間により、ルーバの側面に突出する突起部が外装用包装材に当接するのを防止するなど、ルーバを保護している（例えば、特許文献１参照。）。
【特許文献１】特開２０００−１２８２６３号公報（第２−５頁、図１−１１）
【発明の開示】
【発明が解決しようとする課題】
【０００４】
しかしながら、ルーバと外装用包装材との間に緩衝空間を形成するには、外装用包装材とは別にルーバの両端部に配置する端部緩衝材を用いる必要があり、包装に必要とする部品点数が多く、包装構造が複雑化する問題がある。
【０００５】
本発明は、このような点に鑑みなされたもので、１枚の包装材のみでも、被包装物の側面や端面と包装材との間に緩衝空間を形成することが可能となり、包装構造を簡素化できる包装装置を提供することを目的とする。
【課題を解決するための手段】
【０００６】
請求項１記載の包装装置は、被包装物の底面を覆う底面部と；底面部の両側から底面部に対して略直交するように折り曲げられて被包装物の両側面を覆う一対の側面部と；底面部の両端から底面部に対して略直交するように折り曲げられて被包装物の両端面を覆う一対の端面部と；各端面部から底面部に対して略平行となるように折り曲げられて被包装物の上面を覆う一対の天面部と；各天面部から被包装物側に折り曲げられて被包装物の上面と交差する面に当接して被包装物を保持する切起片と；を具備しており、これらを１枚の包装材で形成したものである。
【０００７】
被包装物は、例えば、照明器具の照明器具用アクセサリとして使用するルーバやセードなどがあり、ルーバは枠状に形成され、セードは器具取り付け用の枠を有している。これら枠状のルーバおよびセードの枠の外側面や内側面を利用して包装材の切起片で保持可能としている。
【０００８】
包装材は、例えば、段ボールが用いられ、天面部は被包装物の端部近傍のみを覆い、被包装物の上面中央域が開口している簡易包装でもよい。
【０００９】
切起片は、例えば、１つまたは複数で、被包装物の形状に対応して側面方向や端面方向などに折り曲げられる。折り曲げた切起片の先端を被包装物に当接させて被包装物を保持したり、切起片の側面を被包装物に当接させて被包装物を保持する。切起片が複数の場合には、複数の切起片間で被包装物を保持する。
【００１０】
そして、１枚の包装材の底面部、側面部、端面部および天面部で被包装物の底面、側面、端面および上面を覆い、天面部の切起片を被包装物側に折り曲げて被包装物の上面と交差する面に当接させることにより、被包装物の側面や端面と包装材との間に緩衝空間を形成した状態で、被包装物を保持可能とする。
【００１１】
請求項２記載の包装装置は、請求項１記載の包装装置において、切起片は、端面部から折り曲げられる天面部の折り曲げ側および先端部側にそれぞれ設けられているものである。
【００１２】
そして、複数の切起片により、形状の異なる被包装物を保持することが可能となり、放送装置の汎用性が向上する。
【発明の効果】
【００１３】
請求項１記載の包装装置によれば、１枚の包装材の底面部、側面部、端面部および天面部で被包装物の底面、側面、端面および上面を覆い、天面部の切起片を被包装物側に折り曲げて被包装物の上面と交差する面に当接させることにより被包装物を保持でき、そのため、１枚の包装材のみでも、被包装物の側面や端面と包装材との間に緩衝空間を形成することが可能となり、包装構造を簡素化できる。
【００１４】
請求項２記載の包装装置によれば、請求項１記載の包装装置の効果に加えて、切起片を、端面部から折り曲げられる天面部の折り曲げ側および先端部側にそれぞれ設けているため、形状の異なる被包装物にも対応でき、複数種類の被包装物に共用できる。
【発明を実施するための最良の形態】
【００１５】
以下、本発明の一実施の形態を図面を参照して説明する。
【００１６】
図１はルーバを包装する包装装置の一端部の包装状態の斜視図、図２はルーバを包装する包装装置の一端部の包装前状態の斜視図、図３は包装装置の包装材の一端部の展開図、図４は包装装置およびルーバの斜視図、図５はセードを包装する包装装置の一端部の包装状態の斜視図、図６はセードを包装する包装装置の一端部の包装前状態の斜視図である。
【００１７】
図４において、11は被包装物としてのルーバであり、このルーバ11は、照明器具の器具本体の照射開口に取り付けられて出射する光を制光する照明器具用アクセサリの１つである。
【００１８】
このルーバ11は、例えば直管形蛍光ランプを使用する細長い器具本体の形状に対応して両端の方向に長く形成され、器具本体に取り付けられる枠部12を有している。この枠部12は、長手方向に対して交差する両側の側枠13、これら両側の側枠13の間で長手方向に等間隔に架設された複数のルーバ片14を有している。さらに、枠部12には器具本体に取り付けるための取付部15が側枠13から外方に向かって突設されている。
【００１９】
図１ないし図４に示すように、ルーバ11を包装する包装装置21は、例えば段ボールで形成された１枚の包装材22を有している。この包装材22は、ルーバ11の長手方向に対応して長く設けられてルーバ11の底面を覆う底面部23を有し、この底面部23はルーバ11の外径寸法よりも大きく形成されている。この底面部23の短手方向の両側部からは折り目24を介して底面部23に対して略直交するように折り曲げられてルーバ11の両側面を覆う一対の側面部25が設けられている。底面部23の長手方向の両端部からは、折り目26を介して底面部23に対して略直交するように折り曲げられてルーバ11の両端面を覆う一対の端面部27が設けられている。各端面部27の長手方向の両端部からは、折り目28を介して底面部23に対して略平行となるように折り曲げられてルーバ11の上面の端面側近傍を覆う一対の天面部29が設けられている。これら底面部23、側面部25、端面部27および天面部29によってルーバ11を包装する包装箱30が組み立てられる。この包装箱30ではルーバ11の上面の中央域を覆わずに開口した簡易包装に対応している。
【００２０】
各側面部25の両端には、端面部27および天面部29から切れ目31で切り離されるとともに包装箱30の組立時に端面部27の内側に折り目32を介して折り曲げられるフラップ33が設けられている。
【００２１】
各天面部29の両側には、包装箱30の組立時に側面部25の内側に折り目34を介して折り込まれるフラップ35が設けられている。
【００２２】
各天面部29には、天面部29からルーバ11側に折り曲げられてルーバ11の上面と交差する面に当接してルーバ11を保持する四角形状の複数の切起片37が設けられている。切起片37としては、天面部29の先端部の両側に設けられる２つの先端外側用の切起片37aおよび先端内側用の切起片37b、端面部27側の中央に設けられる１つの端面側中央用の切起片37cを有している。
【００２３】
先端外側用の切起片37aは、両側が切れ目38で天面部29から切り離され、天面部29との接続箇所の折り目39を介して先端が底面部23方向に向くように内側へ折り曲げられる。また、切起片37aは必要に応じて組立時の端面部27の内面と平行になるまで折り曲げてもよい。
【００２４】
先端内側用の切起片37bは、先端外側用の切起片37aとの間の外側および天面部29の先端部に対して反対側がＬ字形の切れ目40で天面部29から切り離され、天板部29との接続箇所の折り目41を介して先端が底面部23方向に向くように内側へ折り曲げられる。また、切起片37aは必要に応じて側面部25の内面と平行になるまで折り曲げてもよい。
【００２５】
端面側中央用の切起片37cは、一側および両端がコ字形の切れ目42で天面部29から切り離され、他側の折り目43を介して組立時の側面部25の内面に平行に折り曲げられる。
【００２６】
次に、包装装置21によるルーバ11の包装について説明する。
【００２７】
ルーバ11を展開状態の包装材22の底面部23上に配置する。両側の側面部25をルーバ11の両側を覆うように折り曲げ、両端の端面部27をルーバ11の両端を覆うように折り曲げ、天面部29をルーバ11の上面を覆うように折り曲げ、包装箱30を組み立てる。このとき、両側の側面部25のフラップ33を端面部27の内側に折り曲げ、天面部29の両側のフラップ35を側面部25の内側に折り曲げる。
【００２８】
先端外側用の切起片37aを、折り目39を介してルーバ11側に折り曲げて、ルーバ11の枠部12の外側と側面部25との間に圧入して嵌め込む。これにより、ルーバ11の両側面と両側の側面部25との間に緩衝空間をあけた状態で、包装箱30内におけるルーバ11の短手方向の位置が位置決め保持される。
【００２９】
先端内側用の切起片37bを、折り目41を介してルーバ11側に折り曲げて、切起片37bの先端側の一片をルーバ片14と対向するように配設する。これにより、ルーバ11が端面部27方向に移動しようとしても、切起片37bとルーバ片14とが当接することによってルーバ11の移動を規制し、ルーバ11の長手方向の位置が位置決め保持される。
【００３０】
端面側中央用の切起片37cは、ルーバ11とは当接しないため、ルーバ11側に曲げなくてもよい。この切起片37cを折り曲げることにより、切起片37cが端面部27の内面に当接するため、包装箱30としての強度を向上させることができる。
【００３１】
そして、側面部25と天面部29とにわたって粘着テープを貼り付けて固定し、包装完了となる。なお、各切起片37a，37b，37cを折り曲げる前に粘着テープを貼り付けて包装箱30の形状を保つようにしてもよい。
【００３２】
包装装置21によるルーバ11の包装状態では、取付部15が包装材22に干渉することを防ぐためにルーバ11の側面と包装材22との間に緩衝空間を設ける必要がある。また、この場合には、ルーバ11を位置決めするための緩衝材を必要とするが、本実施の形態によれば、緩衝材などの別部材を必要とすることなく、包装箱30内におけるルーバ11の短手方向および長手方向の位置を位置決め保持している。さらに、包装材22の一部が外力で多少つぶれてもルーバ11に到達せず、ルーバ11を保護できる。
【００３３】
このように、１枚の包装材22の底面部23、側面部25、端面部27および天面部29でルーバ11の底面、側面、端面および上面を覆い、天面部29の切起片37をルーバ11側に折り曲げてルーバ11の上面と交差する面に当接させることにより、１枚の包装材22のみでも、ルーバ11の側面や端面と包装材22との間に緩衝空間を形成することが可能となり、包装構造を簡素化できる。
【００３４】
また、図５および図６に示すように、包装装置21は、ルーバ11以外に、照明器具用アクセサリである被包装物としてのセード51の包装にも対応している。
【００３５】
このセード51は、上述したルーバ11が取付可能な同種類の照明器具に取り付けられるもので、ルーバ11の枠部12と外形寸法が共通な長方形状の枠部52を有し、この枠部52に乳白色の透光性を有するカバー53が支持されている。
【００３６】
そして、セード51の包装について説明する。
【００３７】
セード51を展開状態の包装材22の底面部23上に配置する。両側の側面部25をセード51の両側を覆うように折り曲げ、両端の端面部27をセード51の両端を覆うように折り曲げ、天面部29をセード51の上面を覆うように折り曲げ、包装箱30を組み立てる。このとき、両側の側面部25のフラップ33を端面部27の内側に折り曲げ、天面部29の両側のフラップ35を側面部25の内側に折り曲げる。
【００３８】
先端外側用の切起片37aを、折り目39を介してセード51側に折り曲げて、セード51の枠部52の外側と側面部25との間に圧入して嵌め込む。これにより、セード51の両側面と両側の側面部25との間に緩衝空間をあけた状態で、包装箱30内におけるセード51の短手方向の位置が位置決め保持される。
【００３９】
先端内側用の切起片37bを、折り目41を介してセード51側に折り曲げて、セード51の枠部52の内側に圧入して嵌め込む。これにより、セード51の両側面と両側の側面部25との間にそれぞれ緩衝空間をあけた状態で、包装箱30内におけるセード51の短手方向の位置が位置決め保持される。
【００４０】
端面側中央用の切起片37cは、折り目43を介してセード51側に折り曲げて、セード51の枠部52の外端と端面部27との間に圧入して嵌め込む。これにより、セード51の両端面と両端の端面部27との間に緩衝空間をあけた状態で、包装箱30内におけるセード51の長手方向の位置が位置決め保持される。
【００４１】
そして、側面部25と天面部29とにわたって粘着テープを貼り付けて固定し、包装完了となる。なお、各切起片37a，37b，37cを折り曲げる前に粘着テープを貼り付けて包装箱30の形状を保つようにしてもよい。
【００４２】
包装装置21によるセード51の包装状態では、セード51の側面や端面と包装材22との間に緩衝空間が形成された状態で、包装箱30内におけるセード51の短手方向および長手方向の位置を位置決め保持している。そのため、セード51の外側に取付部15があっても包装材22と接触することがなく、包装材22の一部が外力で多少つぶれてもセード51に到達せず、セード51を保護できる。
【００４３】
このように、１枚の包装材22の底面部23、側面部25、端面部27および天面部29でセード51の底面、側面、端面および上面を覆い、天面部29の切起片37をセード51側に折り曲げてセード51の上面と交差する面に当接させることにより、１枚の包装材22のみでも、セード51の側面や端面と包装材22との間に緩衝空間を形成するとともにセード51の短手方向および長手方向の位置を位置決め保持することが可能となり、包装構造を簡素化できる。
【００４４】
しかも、切起片37a，37bと切起片37cとを、端面部27から折り曲げられる天面部29の折り曲げ側と先端部側とを結ぶ方向の異なる複数の位置に設けているため、同じ包装材22をルーバ11とセード51の包装に共用できる。
【００４５】
なお、被包装物としては、照明器具用アクセサリに限られず、他の被包装物にも対応でき、複数種類の被包装物に共用できる。
【図面の簡単な説明】
【００４６】
【図１】本発明の第１の実施の形態を示すルーバを包装する包装装置の一端部の包装状態の斜視図である。
【図２】同上ルーバを包装する包装装置の一端部の包装前状態の斜視図である。
【図３】同上包装装置の包装材の一端部の展開図である。
【図４】同上包装装置およびルーバの斜視図である。
【図５】同上セードを包装する包装装置の一端部の包装状態の斜視図である。
【図６】同上セードを包装する包装装置の一端部の包装前状態の斜視図である。
【符号の説明】
【００４７】
11    被包装物としてのルーバ
21    包装装置
22    包装材
23    底面部
25    側面部
27    端面部
29    天面部
37    切起片
51    被包装物としてのルーバ
【図１】
2008162672.tif 000003
【図２】
2008162672.tif 000004
【図３】
2008162672.tif 000005
【図４】
2008162672.tif 000006
【図５】
2008162672.tif 000007
【図６】
2008162672.tif 000008